(57)【特許請求の範囲】
【請求項１】
文書に対する印刷設定の項目毎の設定内容を示す項目イメージを画面上に表示するイメージ表示部と、
前記画面上で前記項目イメージを所定の項目設定領域内へ投入する設定操作を受け付ける設定操作受付部と、
前記設定操作がなされた項目イメージに対応する前記項目の設定内容に基づく設定を行う設定処理部と、
を備え、
前記画面は、枠部の内周に設けられ、
前記枠部は、前記画面に向かって傾斜する傾斜部を有し、
前記イメージ表示部は、前記項目イメージを前記画面の外縁側に表示することを特徴とする表示操作装置。
【請求項２】
請求項１記載の表示操作装置であって、
前記イメージ表示部は、前記項目設定領域内に領域用イメージを表示する、
ことを特徴とする表示操作装置。
【請求項３】
請求項２記載の表示操作装置であって、
前記領域用イメージは、印刷のための画像形成装置の装置イメージである、
ことを特徴とする表示操作装置。
【請求項４】
請求項１〜３の何れか一項に記載の表示操作装置であって、
前記文書のプレビューイメージを前記画面上のプレビュー表示領域内に表示するプレビューイメージ表示部を備え、
前記イメージ表示部は、少なくとも用紙の後処理のための項目イメージを前記画面上に表示し、
前記設定操作受付部は、前記後処理の項目イメージを前記プレビュー表示領域内へ投入する後処理設定操作を受け付け、
前記設定処理部は、前記後処理設定操作がなされた項目イメージに対応する前記後処理を設定し、
前記プレビューイメージ表示部は、前記設定された後処理を前記プレビューイメージ上に反映させる、
ことを特徴とする表示操作装置。
【請求項５】
請求項１〜４の何れか一項に記載の表示操作装置を備える画像形成装置。
【請求項６】
文書に対する印刷設定の項目毎の設定内容を示す項目イメージを画面上に表示するイメージ表示機能と、
前記画面上で前記項目イメージを所定の項目設定領域内へ投入する設定操作を受け付ける設定操作受付機能と、
前記設定操作がなされた項目イメージに対応する前記項目の設定内容に基づく設定を行う設定処理機能と、
をコンピューターに実現させ、
前記イメージ表示機能は、前記画面に向かって傾斜する傾斜部を有する枠部の内周に設けられた前記画面の外縁側に前記項目イメージを表示することを特徴とする表示操作プログラム。
【発明の詳細な説明】
【技術分野】
【０００１】
本発明は、文書に対する印刷設定を行うための表示操作装置及びプログラム並びに画像形成装置に関する。
【背景技術】
【０００２】
デジタル複合機等の画像形成装置としては、タッチパネル式の画面を有するパネルユニットを表示操作装置として備え、印刷指示や設定等の入力操作及びその入力結果の表示をパネルユニットの画面を通じて行うものが知られている。
【０００３】
このような画像形成装置では、文書に対する印刷設定を行う場合、画面上に表示された操作キーの選択入力を行うのが一般的である。
【０００４】
ところが、操作キーは、画面領域の制限により別画面として分散していることが多いので、コピー、ファックス、スキャナ等の動作モードでの詳細な条件（印刷設定）を指定するには、多数の操作キーによる入力が必要となる。
【０００５】
特に、コピーやＢＯＸ印刷等を行う際、印刷設定として給紙元や排紙先並びに印刷後の用紙に対して行われる後処理等の条件を指定する場合などである。
【０００６】
このため、ユーザーにとっては、印刷設定のためのキー操作が分かりにくく、手間がかかるという問題がある。
【０００７】
これに対し、特許文献１には、画面上の所定領域に対するポインタ（例えば、ユーザーの指）の動き（ジェスチャー）を抽出し、その抽出情報に基づく指令を装置に対して与える技術が開示されている。
【０００８】
この技術では、ジェスチャーに応じて異なる指令を装置に対して行うことができる。
【０００９】
しかし、複数の指令毎に異なるジェスチャーが設定されているので、指令を入力するための操作が複雑で困難なものになる問題がある。
【先行技術文献】
【特許文献】
【００１０】
【特許文献１】特開平１０−９１３２０号公報
【発明の概要】
【発明が解決しようとする課題】
【００１１】
本発明が解決しようとする問題点は、文書に対する印刷設定を行うための操作が複雑で困難なものになる点である。
【課題を解決するための手段】
【００１２】
本発明は、文書に対する印刷設定を容易にするために、文書に対する印刷設定の項目毎の設定内容を示す項目イメージを画面上に表示するイメージ表示部と、前記画面上で前記項目イメージを所定の項目設定領域内へ投入する設定操作を受け付ける設定操作受付部と、前記設定操作がなされた項目イメージに対応する前記項目の設定内容に基づく設定を行う設定処理部とを備え、前記画面は、枠部の内周に設けられ、前記枠部は、前記画面に向かって傾斜する傾斜部を有し、前記イメージ表示部は、前記項目イメージを前記画面の外縁側に表示することを表示操作装置の最も主な特徴とする。
【発明の効果】
【００１３】
本発明によれば、各項目イメージを項目設定領域内に投入する設定操作を行うだけで、回数が少なくかつ直感的な操作によって、文書に対する印刷設定を容易に行うことできる。
【図面の簡単な説明】
【００１４】
【図１】パネルユニットを有する画像形成装置の構成を示すブロック図である（実施例１）。
【図２】パネルユニットの外観構造を示す斜視図である（実施例１）。
【図３】表示操作画面に表示される印刷設定画面の表示画面例である（実施例１）。
【図４】画像形成装置の表示操作処理を示すフローチャートである（実施例１）。
【図５】印刷設定画面上での印刷設定操作を示す概念図である（実施例１）。
【図６】印刷設定画面上での指の動きを示す拡大概念断面図である（実施例１）。
【図７】変形例に係る印刷設定画面の表示画面例である（実施例１）。
【図８】パネルユニットを有する画像形成装置の構成を示すブロック図である（実施例２）。
【図９】プレビューイメージを有する印刷設定画面の表示画面例である（実施例２）。
【発明を実施するための形態】
【００１５】
文書に対する印刷設定を容易に行わせるという目的を、文書に対する印刷設定の項目毎の設定内容を示す項目イメージを画面上に表示し、その項目イメージを画面上で所定の項目設定領域内へ投入する設定操作を行うことで対応する項目の設定内容に基づく設定を行う表示操作装置により実現した。
【００１６】
この表示操作装置は、タッチパネル式のパーソナルコンピューター等の情報処理装置や画像形成装置のパネルユニットで印刷設定を行う場合等に適用することができる。
【００１７】
以下、本発明の実施例について図面を参照して説明する。
【実施例１】
【００１８】
［画像形成装置の構成］
図１は、パネルユニットを有する画像形成装置を示すブロック図である。
【００１９】
図１の画像形成装置１は、例えばデジタル複合機等であり、用紙上に印刷を行うプリント機能等の各種の機能を備えている。本実施例の画像形成装置１は、それらの機能に応じた構成の他に、表示操作装置としてのパネルユニット３を備えている。なお、図１では、各種機能に応じた構成は省略している。
【００２０】
パネルユニット３は、表示操作画面５及びパネル制御部７等を備えている。
【００２１】
表示操作画面５は、タッチパネル式の液晶表示画面等からなり、画像形成装置１に対する印刷設定の入力操作及びその入力結果の表示等を行わせるものである。入力操作は、ユーザーの指や専用のペン等によって行うことが可能である。ただし、以下においては、ユーザーの指によることを前提に説明する。
【００２２】
図２は、パネルユニットの外観構造を示す斜視図である。表示操作画面５は、パネルユニット３のハウジング部３１に対して、テンキー等の各種操作キー３２と共に設けられている。この表示操作画面５は、ハウジング部３１に設けられた開口３３から表面上に臨んでいる。ハウジング部３１の開口３３に対する縁部は、表示操作画面５の枠部３４を構成しており、枠部３４は、表示操作画面５に向けて傾斜した傾斜部となっている。
【００２３】
図１のパネル制御部７は、プロセッサー及びその動作プログラムを記憶するＲＯＭ（Ｒｅａｄ  Ｏｎｌｙ  Ｍｅｍｏｒｙ）等からなる。パネル制御部７は、表示操作プログラムを実行することにより、表示操作画面５上での入力操作及びその入力結果の表示を制御する。具体的には、パネル制御部７がイメージ表示部７１、設定操作受付部７２、設定確定部７３、設定処理部７４として機能する。
【００２４】
イメージ表示部７１は、イメージ表示機能を実現し、文書に対する印刷設定の項目毎の設定内容を示す項目イメージを表示操作画面５上に表示する。印刷設定の項目は、例えば給紙元、排紙先、後処理の設定などがあり、項目イメージは、それらの項目の少なくとも一つを示すものが表示される。
【００２５】
また、本実施例のイメージ表示部７１は、後述する項目設定領域内の領域用イメージとして画像形成装置１の装置イメージを表示する。なお、領域用イメージとしては、画像形成装置１の形態を模した装置イメージに限らず、例えば矩形形状等のように任意の形状を採用することが可能である。
【００２６】
図３は、表示操作画面５上に表示される印刷設定画面の一例を示している。本実施例では、印刷設定画面５Ａとして、表示操作画面５上に項目イメージ５１，５２，５３，及び５４並びに装置イメージ５５が表示されている。
【００２７】
項目イメージ５１〜５４は、表示操作画面５の上下左右の外縁側にそれぞれ配置されている。本実施例においては、項目イメージ５１〜５４が表示操作画面５の外縁に接するように沿って配置されている。
【００２８】
これら項目イメージ５１〜５４は、印刷設定の項目である後処理や給排紙設定に対して複数の設定内容を示すものとなっている。
【００２９】
本実施例の項目イメージ５１としては、後処理用の項目であるパンチに対して２穴及び３穴の設定内容を示す項目イメージ５１Ａ，５１Ｂ、並びに後処理用の項目であるステープルに対して左上、左下、及び２点の設定内容を示す項目イメージ５１Ｃ〜Ｅを有している。
【００３０】
項目イメージ５２としては、後処理用の項目且つ設定内容である中折り、中綴じ、両面を示す項目イメージ５２Ａ〜Ｃを有している。
【００３１】
項目イメージ５３は、給排紙設定の項目である給紙元のカセットに対して選択可能なカセットを設定内容として示す項目イメージ５３Ａ〜Ｅを有している。なお、項目イメージ５３の「ＭＰ  ｔｒａｙ」は、手差しトレーを意味し、「Ｃａｓｓ  １」等は、画像形成装置１に備えられて選択可能な複数のカセットを示している。
【００３２】
項目イメージ５４は、給排紙設定の項目である排紙先のトレーに対して選択可能なトレーＡ〜Ｃを設定内容として示す項目イメージ５４Ａ〜Ｃを有している。
【００３３】
なお、項目イメージは、上述のものに限られるものではなく、画像形成装置１の構成や仕様に応じて任意に設定可能である。
【００３４】
これら項目イメージ５１〜５４で囲まれるように、装置イメージが表示操作画面５の中央部に位置している。
【００３５】
図１において、設定操作受付部７２は、設定操作受付機能を実現し、図３の表示操作画面５上で項目イメージ５１〜５４を項目設定領域内へ投入する設定操作を受け付ける。本実施例の項目設定領域は、装置イメージ５５と重ねて設定されている。ただし、項目設定領域は、装置イメージ５５よりも大きい領域とすることも可能である。
【００３６】
設定処理部７４は、設定処理機能を実現し、図３の表示操作画面５上で上述の設定操作がなされた項目イメージに対応する項目の設定内容に基づく設定を行う。この設定は、項目イメージ５１〜５４に対応する項目及び設定内容を対応付けておくことで実現できる。こうして本実施例では、給紙元、排出先、後処理等の印刷設定がなされる。
【００３７】
設定反映部７３は、設定反映機能を実現し、設定が行われた項目の設定内容を表示操作画面５上に反映する。本実施例では、項目イメージを設定操作前よりも薄い色で表示し、対応する項目の設定内容が設定されていることを識別可能にする。
［表示操作処理］
図４は、画像形成装置の表示操作処理を示すフローチャートである。
【００３８】
本実施例の表示操作処理としては、例えばコピー時やボックス印刷時等に給紙元、排出先、後処理設定を含む印刷設定を行う。なお、ボックス印刷は、画像形成装置１内の文書ボックスに記憶された画像データ（ボックス文書）による印刷を行う処理である。
【００３９】
ステップＳ１では、「設定画面の表示」が行われる。この処理では、イメージ表示部７１が、図３のように印刷設定画面５Ａを表示操作画面５上に表示する。すなわち、操作表示画面５の中央部に装置イメージ５５を配し、装置イメージ５５を取り囲むようにして表示画面５の上左右の外縁に沿って項目イメージ５１〜５４を配置する。
【００４０】
こうしてステップＳ１が完了するとステップＳ２へ移行する。
【００４１】
ステップＳ２では、「項目イメージの投入あり？」の処理が行われる。この処理では、設定操作受付部７２が、印刷設定画面５Ａ上の項目イメージ５１〜５４に対するユーザの指による設定操作を受け付ける。ここで受け付ける設定操作は、項目イメージ５１〜５４のいずれかの装置イメージ５５内への投入操作である。
【００４２】
なお、投入操作は、少なくとも項目イメージ５１〜５４のいずれかと装置イメージ５５とを結ぶ軌跡を表示操作画面５上で指により描くことを意味する。より詳しくは、表示操作画面５上で項目イメージ５１〜５４のいずれかを指で選択した（触れた）後、表示操作画面５上で装置イメージ５５まで指をずらして選択を解除する（離す）ことである。
【００４３】
項目イメージ５１〜５４のいずれかに対する設定操作を受け付けた場合は、ステップＳ３に移行し（ＹＥＳ）、その設定操作を受け付けない限りは、ステップＳ２の処理を繰り返す（ＮＯ）。
【００４４】
図５は、図３の印刷設定画面上での設定操作を示す概念図である。
【００４５】
図５の例では、給紙元である「Ｃａｓｓ  ２」の項目イメージ５３Ｃ、排紙先である「Ｔｒａｙ  Ｃ」の項目イメージ５４Ｃ、及び後処理のステープルを設定するための「左上  ｓｔａｐｌｅ」の項目イメージ５１Ｃに対して設定操作が受け付けられる。
【００４６】
ステップＳ３では、「印刷設定」が行われる。この処理では、設定処理部７４が、設定操作がなされた項目イメージに対応する項目の設定内容に基づく設定を行う。図５の例では、項目イメージ５３Ｃ，５４Ｃ，及び５１Ｃに対応する給紙元カセット２、排紙トレーＣ、及び用紙の左上へのステープルが設定される。
【００４７】
こうしてステップＳ３が完了してステップＳ４に移行する。
【００４８】
ステップＳ４では、「設定の反映」が行われる。この処理では、設定反映部７３が、ステップＳ３で設定された給紙元や排出先の設定、或いは後処理設定などの設定を印刷設定画面５Ａ上に反映する。
【００４９】
この反映は、上述のように、印刷設定画面５Ａ上で項目イメージを設定操作前よりも薄い色で表示し、対応する項目の設定内容が設定されていることを識別可能にする。図５の例では、例えば項目イメージ５４Ｃ、５３Ｃ、及び５１Ｃが設定操作前よりも薄い色で表示される。
【００５０】
こうして設定の反映が完了すると、ステップＳ５に移行する。
【００５１】
ステップＳ５では、「設定確定？」の処理が行われる。この処理では、設定処理部７４が、設定完了のトリガー操作が行われたか否かを判断する。
【００５２】
トリガー操作が行われていない場合は、ステップＳ５の処理を繰り返し（ＮＯ）、トリガー操作が行われた場合は、ステップＳ６に移行する（ＹＥＳ）。
【００５３】
ステップＳ６では、「設定完了処理」が行われる。この処理では、設定処理部７４がステップＳ５でトリガー操作が行われるまでに設定された印刷設定の設定内容を確定させ、上記一連の表示操作処理を終了する。
【００５４】
このように表示操作処理によれば、印刷設定画面５Ａ上で項目イメージ５１〜５４を装置イメージ５５に投入するように設定操作を直観的に行うことで、給紙元、排出先、或いは後処理の設定を行うことができる。
[設定操作]
図６は、図３の印刷設定画面５上での設定操作時の指の動きを示し、（Ａ）は、本実施例に係る拡大概略断面図、（Ｂ）は、比較例に係る拡大概略断面図である。なお、図６では、項目イメージ５４Ｃに対する設定操作を例にしている。
【００５５】
本実施例の設定操作を行う際は、図２のパネルユニット３において、図６（Ａ）のようにユーザーが指Ｆを表示操作画面５の周囲に位置するハウジング部３１の枠部３４上に置く。このとき、表示操作画面５上の設定操作の対象となる項目イメージ５１〜５４のいずれか（図６（Ａ）の例では項目イメージ５４Ｃ）に凡そ対応させるようにする。この対応付けは、項目イメージ５１〜５４が表示操作画面５の外縁側に配置されているので、容易に行わせることができる。
【００５６】
この状態で、矢印Ａのように枠部３４の傾斜に応じて指Ｆを表示操作画面５側にスライドさせて、対応させた項目イメージ５１〜５４のいずれか（図６（Ａ）の例では項目イメージ５４Ｃ）に触れる。そして、表示操作画面５上で装置イメージ５５まで指をスライドさせて設定操作が行われることになる。
【００５７】
このように、設定操作の際は、予めハウジング部３１の枠部３４上に指を置くことで、表示操作画面５の外縁側に位置する設定操作の対象となる項目イメージ５１〜５４のいずれかに凡そ対応させることができ、その状態で指Ｆを表示操作画面５側に安定的にスライドさせて対象となる項目イメージ５１〜５４のいずれかに確実に触れることが可能となる。
【００５８】
これに対し、図６（Ｂ）のように表示操作画面５上で項目イメージ５１〜５４を直接狙って触れる場合、指の動きが不安定であるから、項目イメージ５１〜５４の大きさ等によっては対象となるもの（図６（Ａ）の例では項目イメージ５４Ｃ）に触れることが困難になるおそれがある。
[実施例１の効果]
本実施例は、文書に対する印刷設定の項目毎の設定内容を示す項目イメージ５１〜５４を表示操作画面５上に表示するイメージ表示部７１と、表示操作画面５上で項目イメージ５１、５２、５３及び５４を所定の項目設定領域内へ投入する設定操作を受け付ける設定操作受付部７２と、設定操作がなされた項目イメージ５１〜５４に対応する項目の設定内容に基づく設定を行う設定処理部７４とを備える。
【００５９】
従って、本実施例では、各項目イメージを項目設定領域内に投入する設定操作を行うだけで、回数が少なくかつ直感的な操作によって、印刷設定を容易に行うことできる。
【００６０】
また、本実施例イメージ表示部７１は、項目設定領域内に領域用イメージとしての画像形成装置１の装置イメージ５５を表示する。
【００６１】
従って、本実施例では、装置イメージ５５を確認しながら容易且つ確実に項目イメージを項目設定領域内に投入する操作を行わせることができる。
【００６２】
また、本実施例では、表示操作画面５が枠部３４の内周に設けられ、枠部３４が表示操作画面５に向かって傾斜する傾斜部を有し、イメージ処理部７１が項目イメージ５１〜５４を表示操作画面５の外縁側に表示する。
【００６３】
また、本実施例では、操作表示画面５は、周辺部との間に段差を有し、イメージ表示部７１は、項目イメージを操作表示画面５の上下左右のエッジ部に表示する。
【００６４】
従って、設定操作の際は、予め枠部３４上に指を置くことで、表示操作画面５の外縁側に位置する設定操作の対象となる項目イメージ５１〜５４のいずれかに凡そ対応させることができ、その状態で指Ｆを表示操作画面５側に安定的にスライドさせて対象となる項目イメージ５１〜５４のいずれかに確実に触れることが可能となる。
［変形例］
図７は、本実施例の変形例に係り、印刷設定画面の表示画面例である。
【００６５】
本変形例では、項目イメージ５１〜５４をドラッグアンドドロップによる設定操作で装置イメージ５５の画像領域内に移動させて投入できるようにした。図７の例では、項目イメージ５３Ｃ，５４Ｃ，及び５１Ｃをドラッグアンドドロップして装置イメージ５５の画像領域内に投入する設定性操作を行っている。
【００６６】
かかる変形例では、装置イメージ５５に投入されている項目イメージから設定内容を直観的且つ容易に把握できる。
【実施例２】
【００６７】
図８は、パネルユニットを有する画像形成装置の構成を示すブロック図、図９は、プレビューイメージを有する印刷設定画面の一例、である。なお、本実施例は、基本構成が上記実施例１と共通するため、対応する構成部分に同符号を付して重複した説明を省略する。
【００６８】
本実施例の画像形成装置１では、図８のように、パネルユニット３のパネル制御部７が、さらにプレビューイメージ表示部７５として機能する。
【００６９】
プレビューイメージ表示部７５は、図９のように、印刷される文書のプレビューイメージ６０を表示操作画面５上のプレビュー表示領域内に表示する。なお、本実施例のプレビューイメージは、プレビュー表示領域に重なっている。本実施例のプレビューイメージ６０は、装置イメージ５５に隣接して表示操作画面５の中央部付近に表示される。
【００７０】
プレビューイメージ（プレビュー表示領域）６０に対しては、後処理のための項目イメージ５１及び５２を投入する後処理操作設定が可能となっている。
【００７１】
このため、本実施例のイメージ表示部７１は、少なくとも用紙の後処理のための項目イメージ５１及び５２を表示操作画面５上に表示する。なお、本実施例の操作設定も、設定操作受付部７２によって受け付けられる。
【００７２】
こうして受け付けられた後処理設定操作に基づき、設定処理部７４は、後処理設定操作がなされた項目イメージ５１及び５２に対応する後処理を設定する。この後処理設定は、プレビューイメージ表示部７５により、プレビューイメージ６０上に反映させることになる。
【００７３】
図９の例では、「２点  ｓｔａｐｌｅ」の項目イメージ５１Ｅに対して後処理設定操作がなされ、２点のステープルがプレビューイメージ６０上に反映されている。
【００７４】
本実施例においては、上記実施例１の作用効果を奏することができるのに加え、プレビューイメージ６０に対して直接後処理設定操作を行い、後処理設定を直感的に容易に行うことができる。しかも、後処理設定がプレビューイメージ６０に反映されるので、後処理の全体イメージを把握し易くすることができる。
【符号の説明】
【００７５】
１  画像形成装置
３  パネルユニット
５  表示操作画面
５Ａ，５Ｂ，５Ｃ  印刷設定画面
５１，５２，５３，５４  項目イメージ
５５  装置イメージ
６０  プレビュー画像
７１  イメージ表示部
７２  設定操作受付部
７３  設定確定部
７４  設定処理部
７５  プレビューイメージ表示部
【図１】
0005993822.tif 000002
【図２】
0005993822.tif 000003
【図３】
0005993822.tif 000004
【図４】
0005993822.tif 000005
【図５】
0005993822.tif 000006
【図６】
0005993822.tif 000007
【図７】
0005993822.tif 000008
【図８】
0005993822.tif 000009
【図９】
0005993822.tif 000010